(57)【特許請求の範囲】
【請求項１】
本容器に詰め替える内容物が収容される容器本体と、
該容器本体の口部に装着されると共に注出口が形成された装着部と、
前記注出口を閉塞するシール部と、
前記注出口上に配設された押圧体、及び前記本容器の注出口部の開口端縁に当接可能とされた当接片を有する操作部材と、
前記装着部と前記操作部材とを一体的に連結する環状連結体と、を備え、
前記装着部は、
前記容器本体の口部内に嵌合された内筒部と、
前記内筒部の径方向内側に配設され、その内側が前記注出口とされた中心筒部とを備え、
前記環状連結体は、
外周縁部が前記中心筒部に連結され、且つ内周縁部が前記当接片に連結され、前記中心筒部との連結部分を基点として前記当接片との連結部分を容器軸方向に沿って移動させるように回動可能とされ、
前記容器本体と前記本容器とを容器軸方向に相対的に接近移動させた際、前記中心筒部と前記当接片とが当接して、前記容器本体及び前記本容器の接近移動が規制されることを特徴とする詰め替え容器。
【請求項２】
請求項１に記載の詰め替え容器において、
前記当接片には、前記本容器の注出口部内に挿入可能とされ、該注出口部に内接するガイド部材が立設されていることを特徴とする詰め替え容器。
【請求項３】
請求項１又は２に記載の詰め替え容器において、
前記装着部に離脱可能に装着され、前記注出口側に向けた前記操作部材のスライド移動を規制する規制部材を備えていることを特徴とする詰め替え容器。
【請求項４】
請求項３に記載の詰め替え容器において、
前記規制部材は、前記操作部材を容器軸の外方から覆う天壁部を備えていることを特徴とする詰め替え容器。
【発明の詳細な説明】
【技術分野】
【０００１】
本発明は、詰め替え容器に関するものである。
【背景技術】
【０００２】
この種の詰め替え容器として、従来、例えば下記特許文献１に記載されているような、本容器に詰め替えるための内容物を収容する容器本体と、その容器本体の口部に装着されると共にその口部を閉塞する中栓と、が備えられ、その中栓を本容器の口部に螺着させて詰め替えを行う詰め替え容器が知られている。
上記した中栓には、内容物を注出するための注出口が形成されていると共に、この注出口を閉塞するシール部が設けられている。シール部は、例えばプルトップが付設された蓋体からなる。
【０００３】
上記した構成の詰め替え容器では、例えば、まずプルトップを引き上げて、中栓の注出口を開封する。続いて、詰め替え容器を正立姿勢（口部が上向きの姿勢）に配置し、その詰め替え容器の中栓に倒立姿勢（口部が下向きの姿勢）の本容器の口部を螺着する。その後、詰め替え容器と本容器とを反転させて、本容器を正立姿勢にすると共に詰め替え容器を倒立姿勢にする。これにより、詰め替え容器内の内容物が、詰め替え容器及び本容器の各口部の内側を流通して本容器内に詰め替えられる。
【先行技術文献】
【特許文献】
【０００４】
【特許文献１】特開２０００−１５９２４９号公報
【発明の概要】
【発明が解決しようとする課題】
【０００５】
しかしながら、上記した従来の詰め替え容器では、中栓の注出口を開封した後、中栓に本容器の口部を螺着し、その後、詰め替え容器と本容器を上下反転させる必要があるので、詰め替え作業が煩雑になり易かった。
また、中栓の注出口を開封した後に本容器の口部を詰め替え容器の中栓に螺着するため、その螺合作業中に誤って詰め替え容器を倒すと、詰め替え容器内の内容物がこぼれ出るおそれがあった。
更に、中栓に本容器の口部を螺着する際に本容器を倒立姿勢にするため、本容器の内側に内容物が残留していると本容器内の内容物がこぼれ易かった。従って、本容器内の内容物を使い切った後でないと詰め替え作業を行い難かった。
【０００６】
本発明は、このような事情に鑑みてなされたものであって、その目的は、詰め替え作業を簡便に行うことができるうえ、詰め替え時に内容物をこぼし難く、また、本容器内の内容物が残留している場合であっても詰め替え作業を行うことができる詰め替え容器を提供することである。
【課題を解決するための手段】
【０００７】
上記の目的を達成するために、この発明は以下の手段を提供している。
（１）本発明に係る詰め替え容器は、本容器に詰め替える内容物が収容される容器本体と、該容器本体の口部に装着されると共に注出口が形成された装着部と、前記注出口を閉塞するシール部と、前記注出口上に配設された押圧体、及び前記本容器の注出口部の開口端縁に当接可能とされた当接片を有する操作部材と、前記装着部と前記操作部材とを一体的に連結する環状連結体と、を備え、前記装着部は、前記容器本体の口部内に嵌合された内筒部と、前記内筒部の径方向内側に配設され、その内側が前記注出口とされた中心筒部とを備え、前記環状連結体は、外周縁部が前記中心筒部に連結され、且つ内周縁部が前記当接片に連結され、前記中心筒部との連結部分を基点として前記当接片との連結部分を容器軸方向に沿って移動させるように回動可能とされ、前記容器本体と前記本容器とを容器軸方向に相対的に接近移動させた際、前記中心筒部と前記当接片とが当接して、前記容器本体及び前記本容器の接近移動が規制されることを特徴とする。
【０００８】
本発明に係る詰め替え容器によれば、本容器に内容物を詰め替える際に、まず、操作部材の当接片を注出口部の開口端縁に当接させて、詰め替え容器と本容器とを組み合わせる。そして、詰め替え容器の容器本体と本容器とを容器軸方向に沿って相対的に接近移動させることで、環状連結体を、装着部との連結部分を基点として操作部材との連結部分を容器軸方向に沿って注出口側に向けて移動させるように回動（反転）させる。これにより、環状連結体の回動に伴って操作部材を注出口側に向けてスライド移動させることができ、注出口を閉塞しているシール部を押圧体により押圧して破断或いは注出口から離脱させ、該注出口を開放させることができる。
これにより、詰め替え容器の容器本体内と本容器の注出口部内とが連通し、容器本体内の内容物が注出口部内に注出されて本容器内に詰め替えられる。
【０００９】
上述したように、当接片を注出口部の開口端縁に当接させた状態で詰め替え容器及び本容器を組み合わせた後、容器本体と本容器とを容器軸方向に沿って相対的に接近移動させるという簡便な作業によって内容物を詰め替えることができるので、詰め替え作業の容易化を図ることができる。
【００１０】
また、詰め替え時、操作部材の当接片を注出口部の開口端縁に当接させるので、詰め替え容器を安定状態で本容器に組み合わせることができ、内容物をこぼし難い。
また、上記のように当接片を注出口部の開口端縁に当接させることで操作部材を安定化させることができるうえ、環状連結体を介して操作部材が装着部に連結支持されているので、該操作部材を滑らかに移動させることができ、過大な力を必要とせずにシール部を押圧して注出口を容易に開放させ易い。
更に、詰め替え容器の開封と同時に内容物を本容器内に詰め替えられるので、本容器を倒立姿勢にすることなく詰め替え作業を行うことが可能になり、本容器内の内容物が残留している場合であっても内容物の詰め替えを行うことができる。
【００１１】
（２）また、上記本発明の詰め替え容器において、前記当接片には、前記本容器の注出口部内に挿入可能とされ、該注出口部に内接するガイド部材が立設されていても良い。
【００１２】
この場合には、当接片を本容器の注出口部の開口端縁に当接させた際に、ガイド部材を注出口部内に差し込んで該注出口部に内接させることができるので、詰め替え容器をより安定した状態で本容器に組み合わせることができるうえ、両容器を径方向に位置ずれさせることなく組み合わせることができる。従って、内容物をよりこぼれ難くした状態で詰め替え作業を行うことができる。
【００１３】
（３）また、上記本発明の詰め替え容器において、前記装着部に離脱可能に装着され、前記注出口側に向けた前記操作部材のスライド移動を規制する規制部材を備えていても良い。
【００１４】
この場合には、仮に流通段階等で詰め替え容器に不意に外力が加えられたとしても、操作部材のスライド移動を規制して押圧体がシール部を押圧するのを抑えることが可能になり、詰め替え容器が不意に開封されるのを抑制することができる。
【００１５】
（４）また、上記本発明の詰め替え容器において、前記規制部材が、前記操作部材を容器軸の外方から覆う天壁部を備えていても良い。
【００１６】
この場合には、規制部材が操作部材を容器軸の外方から覆っているので、外部から塵埃等が操作部材内に進入して押圧体やシール部等に付着することを抑制でき、詰め替え時に内容物への異物混入を防止し易い。
【発明の効果】
【００１７】
本発明に係る詰め替え容器によれば、詰め替え作業を簡便に行うことができるうえ、詰め替え時に内容物をこぼし難く、また、本容器内の内容物が残留している場合であっても詰め替え作業を行うことができる。
【図面の簡単な説明】
【００１８】
【図１】本発明に係る詰め替え容器の実施形態を示す縦断面図である。
【図２】図１に示す詰め替え容器を本容器に組み合わせた状態を示す縦断面図である。
【図３】図２に示す状態から、詰め替え容器と本容器とを容器軸方向に相対的に接近移動させて内容物を詰め替えている状態を示す縦断面図である。
【発明を実施するための形態】
【００１９】
以下、本発明に係る詰め替え容器の実施形態について図面を参照して説明する。
図１に示すように、本実施形態の詰め替え容器１は、本容器４０（図２参照）に詰め替える図示しない内容物が収容される容器本体２と、該容器本体２の口部２ａに装着されると共に注出口３が形成された装着部４と、注出口３を閉塞するシール部５と、注出口３上に配設された押圧筒部（押圧体）２０を有する操作部材６と、装着部４と操作部材６とを一体的に連結する連結体（環状連結体）７と、装着部４に離脱可能に装着され、注出口３側に向けた操作部材６のスライド移動を規制するストッパ（規制部材）８と、を備えている。
【００２０】
なお、上述した容器本体２、装着部４、シール部５及び操作部材６は、それぞれの中心軸線が共通軸上に位置された状態で配設されている。本実施形態ではこの共通軸を容器軸Ｏといい、上記詰め替え容器１において、容器軸Ｏに沿った操作部材６側を上側、容器本体２側を下側という。また、容器軸Ｏに直交する方向を径方向といい、容器軸Ｏ回りに周回する方向を周方向という。
【００２１】
装着部４は、下端部が容器本体２の口部２ａ内に嵌合された内筒部１０と、容器本体２の口部２ａの外面に螺着された外筒部１１と、内筒部１０の容器軸Ｏ方向の中間部と外筒部１１の上端部とを連結すると共に口部２ａの開口端に接する連結環１２と、内筒部１０の上端部に環状の段部１３を介して接続され、該内筒部１０の径方向内側に配設された中心筒部１４と、を備えている。
この中心筒部１４は、容器軸Ｏ方向の中間部が上記段部１３に接続されている。また、中心筒部１４の下端開口部が上記注出口３となっている。
【００２２】
シール部５は、注出口３に液密に嵌合された栓状部材であり、中心筒部１４の径方向内側に配設された有底筒状のシール体５ａと、該シール体５ａから径方向外側に向けて突出すると共に、上記中心筒部１４の下端開口端に嵌合されたシールリング５ｂと、を備えている。
上記シール体５ａは、上側に向けて開口しており、その上端部は中心筒部１４の上端部よりも上方に突出している。
【００２３】
操作部材６は、上記シール体５ａの内部に配設された上記押圧筒部２０と、シール部５よりも上側で押圧筒部２０を径方向の外側から囲繞するように配設され、本容器４０の注出口部４１（図２参照）の開口端縁に当接可能とされた環状のフランジ部（当接片）２１と、フランジ部２１の内周縁と押圧筒部２０の上端部付近とを接続する円環状の連結板２３と、を備えている。
【００２４】
押圧筒部２０は、下端部がシール体５ａの底部に近接或いは当接し、上端部がフランジ部２１よりも上方に突出するように容器軸Ｏ方向に位置決めされている。
また、連結板２３は、シール体５ａの上部開口端に近接或いは当接しており、該連結板２３には複数の開口部２３ａが周方向に間隔を開けて形成されている。
【００２５】
フランジ部２１は、内径がシール体５ａの上端開口部よりも大径とされた環状部材であり、装着部４の中心筒部１４よりも径方向外側に突出している。
また、本実施形態のフランジ部２１には、押圧筒部２０を径方向外側から囲繞すると共に、本容器４０の注出口部４１内に挿入可能とされた挿入筒部２４が内周縁寄りに立設されている。この挿入筒部２４の上端部は、押圧筒部２０の上端部よりも上方に突出している。
【００２６】
また、フランジ部２１には、本容器４０の注出口部４１内に挿入可能とされると共に、該注出口部４１に内接するガイドリブ（ガイド部材）２５が立設されている。
このガイドリブ２５は、挿入筒部２４から径方向外側に突出した板片であり、周方向に間隔を開けて複数形成されている。なお、これらガイドリブ２５は、その上端部が挿入筒部２４の容器軸Ｏ方向の中間部に達するように形成されている。
【００２７】
更に、本実施形態のフランジ部２１上には、挿入筒部２４よりも径方向外側に位置する部分に溝部２６が形成されている。この溝部２６は、挿入筒部２４からフランジ部２１の外周縁まで径方向に沿って延びた溝であり、周方向に間隔を開けて複数形成されている。この際、溝部２６は上記ガイドリブ２５に重ならないように形成されている。
【００２８】
上記連結体７は、上述した装着部４及び操作部材６の間に配設されていると共に、押圧筒部２０を径方向の外側から囲繞するように配設されている。そして、この連結体７は、外周縁部が中心筒部１４の上端部に全周に亘って連結されていると共に、内周縁部がフランジ部２１の内周縁に全周に亘って連結されており、これにより装着部４と操作部材６とを一体的に連結している。
【００２９】
また、本実施形態における連結体７は、装着部４との連結部分７ａよりも操作部材６との連結部分７ｂの方が上側に位置するように断面テーパ状に形成されている。また、この連結体７は、操作部材６に外力が作用した際に、装着部４との連結部分７ａを基点として操作部材６との連結部分７ｂを容器軸Ｏ方向に沿って移動させるように回動可能とされており、それにより操作部材６を容器軸Ｏ方向に沿ってスライド移動させるようになっている。
【００３０】
ストッパ８は、横断面視Ｃ字状に形成され、装着部４の中心筒部１４の上端部を径方向外側から囲繞して内部に該中心筒部１４を嵌合させる弾性変形可能な第１リング部３０と、該第１リング部３０の上端部に接続されると共に横断面視Ｃ字状に形成され、フランジ部２１を径方向外側から囲繞して内部に該フランジ部２１を嵌合させる弾性変形可能な第２リング部３１と、該第２リング部３１の上端部に接続され、操作部材６の挿入筒部２４の上部開口部を覆う天壁部３２と、を備えている。
上記第１リング部３０は、装着部４の段部１３とフランジ部２１との間に装着されており、フランジ部２１の下方移動を規制している。具体的には、第１リング部３０の上端部と第２リング部３１の下端部とを連結するように径方向に配置された接続壁３３によってフランジ部２１が支持されている。
【００３１】
次に、上述したように構成された詰め替え容器１から本容器４０に内容物を詰め替える方法について説明する。
【００３２】
まず、詰め替え容器１からストッパ８を取り外した後、詰め替え容器１を倒立姿勢にすると共に本容器４０を正立姿勢にした状態で、詰め替え容器１を本容器４０の上方に配置させる。そして、詰め替え容器１と本容器４０とを位置合わせしながら相対的に容器軸Ｏ方向に接近移動させ、図２に示すように、操作部材６のフランジ部２１を本容器４０の注出口部４１の開口端縁に当接させて、詰め替え容器１と本容器４０とを組み合わせる。
この際、詰め替え容器１の操作部材６の挿入筒部２４及びガイドリブ２５が、本容器４０の注出口部４１内に差し込まれて該注出口部４１内に配設される。特に、ガイドリブ２５は注出口部４１に内接される。
【００３３】
ここで本実施形態では、上述したように詰め替え容器１を倒立姿勢とすることで、詰め替え容器１における上下が反転することとなり、倒立姿勢の詰め替え容器１において、容器軸Ｏ方向に沿った操作部材６側が下側、容器本体２側が上側となる。
また、詰め替え容器１の注出口３がシール部５で閉塞されていることから、詰め替え容器１を倒立姿勢としても、容器本体２内の内容物が注出口３を通して外部に流出することはない。また、操作部材６は、連結体７によって支持されているのでフランジ部２１を注出口部４１に当接させただけでは、該操作部材６がスライド移動してしまい難い。
また、シールリング５ｂが装着部４の中心筒部１４の下部開口端に対して径方向の内側及び外側から挟むように嵌合しているので、内容物の重量によってシール部５が開放されてしまうことが防止されている。
【００３４】
そして、図３に示すように、詰め替え容器１の容器本体２と本容器４０とを容器軸Ｏ方向に沿って相対的に接近移動させると、連結体７が、装着部４との連結部分７ａを基点として操作部材６との連結部分７ｂを容器軸Ｏ方向に沿って注出口３側に向けて移動させるように回動する。これにより、連結体７の回動に伴って操作部材６を注出口３側に向けてスライド移動させることができ、操作部材６の押圧筒部２０及び操作部材６の連結板２３の少なくとも何れか一方がシール部５のシール体５ａを押圧して注出口３から離脱させ、該注出口３を開放させると共に装着部４の内筒部１０内に進入する。
なお、連結板２３がシール体５ａを押圧する場合、当該連結板２３が押圧体として機能する。
【００３５】
これにより、注出口３及び連結板２３の開口部２３ａを通じて、詰め替え容器１の容器本体２内と本容器４０の注出口部４１内とが連通する。よって、詰め替え容器１の容器本体２内に収容されている内容物を、開口部２３ａを通じて本容器４０の注出口部４１内に注出することができ（図３に示す矢印Ａ）、内容物を詰め替え容器１から本容器４０に詰め替えることができる。
【００３６】
なお、本実施形態では、詰め替え容器１の容器本体２と本容器４０とを相対的に接近移動させ続けると、装着部４の中心筒部１４とフランジ部２１とが当接するので、接近移動が規制される。
また、詰め替え作業中、ガイドリブ２５によって画成された注出口部４１と挿入筒部２４との間の隙間、及びフランジ部２１に形成された溝部２６を通じて、本容器４０の内部と外部とを連通させることができる。そのため、上記隙間及び溝部２６を通じて本容器４０内の空気置換を行うことができ（図４に示す矢印Ｂ）、本容器４０内にスムーズに内容物を注出して詰め替え作業を効率良く行うことができる。
【００３７】
ところで、本実施形態では、図３に示す状態において操作部材６の押圧筒部２０が開口部２３ａよりも上方に突出しており、その先端はシール部５のシール体５ａの底部付近に位置している。そのため、内容物がこの押圧筒部２０の内部を通じて本容器４０側に注出され難く、開口部２３ａを優先的に通過することとなる。
従って、本実施形態では、押圧筒部２０を主にシール部５を押圧するための部材として機能させることができる。なお、この押圧筒部２０の内部を本容器４０と詰め替え容器１との空気置換用の通路として機能させることも可能である。
【００３８】
上述したように、本実施形態の詰め替え容器１によれば、フランジ部２１を注出口部４１の開口端縁に当接させた状態で詰め替え容器１及び本容器４０を組み合わせた後、容器本体２と本容器４０とを容器軸Ｏ方向に沿って相対的に接近移動させるという簡便な作業によって内容物を詰め替えることができるので、詰め替え作業の容易化を図ることができる。
また、詰め替え時、操作部材６のフランジ部２１を注出口部４１の開口端縁に当接させるので、倒立姿勢となった詰め替え容器１を安定状態で本容器４０に組み合わせることができると共に、操作部材６の挿入筒部２４及びガイドリブ２５を注出口部４１内に差し込むことができるので、詰め替え容器１と本容器４０とを径方向に位置ずれさせることなく組み合わせることができる。従って、内容物がこぼれるのを抑制することができる。
【００３９】
また、上記のようにフランジ部２１を注出口部４１の開口端縁に当接させることで操作部材６を安定化させることができるうえ、連結体７を介して操作部材６が装着部４に連結支持されているので、操作部材６をガタつきなく滑らかにスライド移動させることができ、過大な力を必要とせずにシール部５を押圧して注出口３を容易に開放させ易い。この点においても、詰め替え作業を行い易い。
更に、詰め替え容器１の開封と同時に内容物を本容器４０内に詰め替えることができるので、本容器４０を倒立姿勢にすることなく詰め替え作業を行うことが可能になり、本容器４０内の内容物が残留している場合であっても内容物の詰め替え作業を行うことができる。
【００４０】
また、図１に示すように、装着部４の中心筒部１４にストッパ８が装着されてフランジ部２１の下方移動を規制しているので、仮に流通段階等で詰め替え容器１に不意に外力が加えられたとしても、操作部材６のスライド移動を規制して押圧筒部２０がシール部５を押圧するのを抑えることが可能になり、詰め替え容器１が不意に開封されるのを抑制することができる。
しかも、このストッパ８は、操作部材６の挿入筒部２４を塞いでいるので、外部から塵埃等が侵入して押圧筒部２０やシール部５等に付着することを抑制でき、詰め替え時に内容物への異物混入を防止し易い。
【００４１】
なお、本発明の技術範囲は、上記実施形態に限定されるものではなく、本発明の趣旨を逸脱しない範囲において、種々の変更を加えることが可能である。
【００４２】
例えば、シール部５の注出口３に対する嵌合力は、倒立姿勢の詰め替え容器１においてシール部５が押圧筒部２０に当接させられた状態で、容器本体２及びシール部５の自重によって該シール部５が注出口３から離脱させられない程度に設定することが好ましい。
【００４３】
また、上記実施形態では、フランジ部２１を環状に形成した場合を例に挙げて説明したが、環状に限られるものではなく、周方向に間隔を開けて複数形成したフランジ部としても構わない。いずれにしても、本容器４０の注出口部４１の開口端縁に当接可能とされていれば良い。但し、フランジ部２１を環状に形成した場合には、詰め替え容器１の姿勢をより安定化させることができると共に、操作部材６に力が伝わり易くなるのでシール部５を押圧し易い。
【００４４】
また、上記実施形態において、押圧筒部２０の下端部を傾斜させた針状としても良い。こうすることで、シール部５を注出口３から離脱させ易くなる。
更には、押圧体の一例として筒状の押圧筒部２０を例に挙げて説明したが、操作部材６のスライド移動に伴ってシール部５を押圧できればどのように構成しても構わない。例えば、押圧体を容器軸Ｏ方向に延びた棒状或いは板状の部材としても構わない。この場合、押圧体の数は１つでも構わないし、容器軸Ｏを中心に周方向に間隔を開けて複数配設させても構わない。
【００４５】
また、上記実施形態では、シール部５が押圧筒部２０によって押圧されて注出口３から離脱することで、該注出口３が開放される構成としたが、これに限られるものではなく、例えばシール部５が破断されることで注出口３が開放されても良い。この場合、例えば、シール部５を、破断可能な弱化部を介して注出口３の内周面に接続された蓋状に形成しても良く、また、注出口３の内側に張設された破断可能な膜状に形成しても良い。また、この場合、押圧体としてシール部５を押圧して破断する刃部としても良い。
【００４６】
また、上記実施形態において、フランジ部２１上に挿入筒部２４及びガイドリブ２５を設けたが、これらは必須ではなく設けなくても構わない。但し、詰め替え容器１と本容器４０とを組み合わせた際に、詰め替え容器１の姿勢をより安定化させ、両容器１、４０が径方向に位置ずれし難くなるので設けることが好ましい。
【符号の説明】
【００４７】
Ｏ…容器軸
１…詰め替え容器
２…容器本体
２ａ…容器本体の口部
３…注出口
４…装着部
５…シール部
６…操作部材
７…連結体（環状連結体）
８…ストッパ（規制部材）
２０…押圧筒部（押圧体）
２１…フランジ部（当接片）
２５…ガイドリブ（ガイド部材）
３２…ストッパの天壁部
４０…本容器
４１…本容器の注出口部
【図１】
0005507361.tif 000002
【図２】
0005507361.tif 000003
【図３】
0005507361.tif 000004